(57)【要約】【課題】防水テレビではケーシングを破壊することなく開けることができず、また外部端子を備えていない場合が多い。このような構成の防水テレビでは、内部のメモリに記録されているプログラムを書き換える必要が生じた場合であっても、メモリにアクセスすることができず、プログラムを書き換えることができなかった。【解決手段】例えば赤外線を利用した無線式のリモコンで操作を行う防水テレビであれば、新たなプログラムを赤外線に重畳して発光部５１から発光させ、受光部２１で受光することによりメモリ２４内のプログラムを書き換えるようにした。【選択図】  図２
2007028510.tif 000002
【特許請求の範囲】
【請求項１】
防水性のケーシング内に、記録されたプログラムを電気的に書換可能なメモリを備えると共に、無線式のリモコンによって操作される防水テレビにおいて、上記リモコンからの信号を受信する受信部に所定の書換開始信号を受信すると、上記メモリを書換可能な状態にすると共に、受信部で受信される新たなプログラムをメモリに記録させる書換手段を備えたことを特徴とする防水テレビ。
【請求項２】
上記ケーシングは融着により密閉され、ケーシングを破壊することなくケーシングを開放することができない構造であることを特徴とする請求項１に記載の防水テレビ。
【請求項３】
防水テレビは画像表示部とチューナ部とに別れており、画像表示部は防水性のケーシングに収納され、室内の壁面に固定されると共に、チューナ部は室外に設置されることを特徴とする請求項１に記載の防水テレビ。
【請求項４】
上記書換手段により上記メモリの記録内容を書き換えていることを表示する表示手段を設けたことを特徴とする請求項１から請求項３のいずれかに記載の防水テレビ。
【発明の詳細な説明】
【技術分野】
【０００１】
本発明は、浴室などの湯水が掛かり、あるいは湿度が高い状態で使用される防水テレビに関する。
【背景技術】
【０００２】
テレビ等の電子装置にはマイコンが内蔵されており、このマイコンによって電子装置の作動が制御されている。マイコンは予め設定されたプログラムにしたがって作動するが、このプログラムはＲＯＭ等のメモリ内に記録され、マイコンと共に電子装置内にメモリが格納されている。
【０００３】
このメモリに記録されているプログラムを、バージョンアップなどの理由により変更する必要が生じると、新たなプログラムが記録されたメモリと交換していたが、フラッシュメモリやＥＥＰＲＯＭなどの、電気信号によって書換可能なメモリが使用され、メモリを交換することなく、記録されているプログラムを新たなプログラムに書き換えるものが提案されている（例えば、特許文献１参照）。
【０００４】
この特許文献１に記載されたものでは、オーディオ信号入力や画像信号入力に使用するためテレビ装置に取り付けられているＲＣＡ端子を利用して、このＲＣＡ端子から新たなプログラムを入力してメモリに記録されているプログラムを書き換えている。
【特許文献１】特開平１１−２４９１５号公報（図１）
【発明の開示】
【発明が解決しようとする課題】
【０００５】
上記特許文献１に記載されたものでは、ＲＣＡ端子のほかに他の入力端子を用いることができると記載されているが、浴室などで使用される防水テレビには、防水性を確保するためＲＣＡ端子を含め入力端子が一切設けられていない。このように外部からの入力端子が設けられていない場合には、特許文献１の図６に従来例として記載されているように、ケーシングを開けて内部の基板に直接接続する必要がある。
【０００６】
ところが、防水性を高めるためにケーシングを溶着により密閉している場合には、ケーシングを破壊しなければ内部の基板に接続することができず、実際には基板に直接接続することは不可能である。
【０００７】
なお、防水テレビが画像表示部とチューナ部とに別れており、画像表示部は防水ケーシングに収納され、室内の内壁に固定されると共に、チューナ部は室外に設置される構成のものもある。この構成の防水テレビでは、室外に設置されているチューナ部にＲＣＡ端子やその他の外部入力端子を設けて、特許文献１記載の発明を適用することは可能である。
【０００８】
しかしながら、チューナ部に対して直接操作をする必要がないため、一般にチューナ部は屋根裏などの目に付かない場所に設置される。そのため、プログラムを書き換えるためにはチューナ部が設置されている屋根裏などに入る必要があり、プログラムの書換作業がきわめて煩雑なものとなる。
【０００９】
そこで本発明は、上記の問題点に鑑み、内蔵されているメモリのプログラムを容易に書き換えることできる防水テレビを提供することを課題とする。
【課題を解決するための手段】
【００１０】
上記課題を解決するために本発明による防水テレビは、防水性のケーシング内に、記録されたプログラムを電気的に書換可能なメモリを備えると共に、無線式のリモコンによって操作される防水テレビにおいて、上記リモコンからの信号を受信する受信部に所定の書換開始信号を受信すると、上記メモリを書換可能な状態にすると共に、受信部で受信される新たなプログラムをメモリに記録させる書換手段を備えたことを特徴とする。
【００１１】
防水テレビは防水性を担保するため外部入力用の端子を備えていないが、無線式のリモコンから発信される信号を受信することができる。そこで、リモコンからの信号を受信する受信部を利用して、受信部を介して新たなプログラムを受信させ、その受信された新たなプログラムをメモリに記録させるようにした。
【００１２】
特に、上記ケーシングは融着により密閉され、ケーシングを破壊することなくケーシングを開放することができない構造の防水テレビについて、本発明は好適である。
【００１３】
なお、防水テレビは画像表示部とチューナ部とに別れており、画像表示部は防水性のケーシングに収納され、室内の壁面に固定されると共に、チューナ部は室外に設置される構成の場合、チューナ部に外部入力端子を設けることは可能であるが、一般にチューナ部は屋根裏など作業が困難な場所に設置される場合が多く、このような構成の防水テレビに対しても本発明は好適である。
【００１４】
なお、上記書換手段により上記メモリの記録内容を書き換えていることを表示する表示手段を設け、書換作業が正常に行われていることを作業者が視覚により容易に確認できるようにすることが望ましい。
【発明の効果】
【００１５】
以上の説明から明らかなように、本発明は、無線式のリモコンによって操作する防水テレビであれば、外部入力端子を備えていなくても、内蔵されているメモリの記録内容を、防水テレビのケーシングを開けることなく書き換えることができる。
【発明を実施するための最良の形態】
【００１６】
図１を参照して、１は浴室であり、浴室１の壁面１２には防水テレビである浴室テレビ２が固定されている。この浴室テレビ２は前後に２分されたケーシング内に液晶表示部および後述する制御部が内蔵されている。ケーシングは防水性を確保するため、ケーシングを構成する前後の２つの部材は相互に融着されており、一旦相互に融着されると破壊することなく再度２つの部材を引き離すことができない。また、防水性を確保するため、設けられていない。
【００１７】
この浴室テレビ２にはチューナ部が内蔵されておらず、浴室１の天井１１の上面に配設されたチューナ部３に接続されている。このチューナ部３にはアンテナ３１が接続されており、アンテナ３１で受信された画像信号および音声信号のうち、選局されたものが浴室テレビ２に送られて再生される。
【００１８】
この選局操作や音量の増減などの操作はリモコン４によって行われる。本実施の形態では、赤外線式の無線通信を行うリモコン４を用いたが、電波による無線通信を行うものを用いてもよい。
【００１９】
図２および図３を参照して、浴室テレビ２の前面にはリモコン４から送信される赤外線を受光するための受光部２１が設けられている。赤外線には信号が重畳されており、重畳された信号は受光部２１で分離され、制御部２２のマイコン２３に入力される。制御部２２にはメモリ２４が取り付けられている。なお、２０は浴室テレビ２の動作状態を表示するための発光ダイオードである。
【００２０】
このメモリ２４内にはマイコンの動作に必要なプログラムやデータが予め記録されている。このメモリ２４は通電が停止しても記録内容を保持することができる、ＲＯＭであるが、外部からの所定の電気信号を受けると、記録されている内容を書き換えることができる状態になるものである。具体的にはフラッシュメモリやＥＥＰＲＯＭが用いられる。なお、２５は各種のスイッチが搭載されたスイッチ基板であり、２６は液晶表示部である。
【００２１】
メモリ２４内に記録されているプログラムは２種類あり、１対は基本プログラムであって、リモコン４から入力される信号の解析等を行う、浴室テレビ２の作動中の基本部分を担当するものである。そして、この基本プログラムは書換の対象にはならないように設定されている。
【００２２】
他方は動作プログラムであり、浴室テレビ２やチューナ部３の機種に依存する制御を担当するものである。そして、書き換えの対象となる部分である。
【００２３】
この動作プログラムのバーションアップなどによりメモリ２４内の動作プログラムを書き換える際には、新しい動作プログラムおよび書換作業を行うためのプログラムが格納された書換装置５を用いる。この書換装置５には赤外線を発光する発光部５１が接続されている。
【００２４】
書換作業を開始すると、発光部５１から書換作業開始信号が発信される。その信号を受光部２１が受光すると、基本プログラムに含まれている書換ルーチンが作動する。この書換ルーチンが作動すると、上述のようにメモリ２４が書換可能な状態になり、動作プログラムを書き換えることができる状態になる。また、このようにメモリ２４が書換可能状態になると、発光ダイオード２０が点滅灯の通常とは違うパターンで発光し、書換可能状態になったことを外部から確認することができる。
【００２５】
次に書き換え用の新たなプログラムを発光部５１から発信する。その新たなプログラムは受光部２１で受光され、順次メモリ２４内に記録されていく。そして、新たなプログラムをすべて発信すると、発光部５１から書き換え終了信号を発信する。この書き換え終了信号を受光部２１が受光すると、メモリ２４を通常の書き換え不能状態に戻し、書き換え作業が終了する。
【００２６】
ところで、新たなプログラムを送信するための要する時間が長時間となる場合など、作業者が書き換え作業中に浴室から出る場合がある。その際、発光部５１から発光される赤外線が確実に受光部２１に受光されるように、図４に示すように、吸盤５２の中心部分に発光部５１を設け、発光部５１が受光部２１に対向するように吸盤５２を浴室テレビ２の前面に吸着させるように構成してもよい。
【００２７】
このように構成すると、吸盤５２で外光が遮光されるので、ノイズが受光部２１に受光されることを防止できる。また、浴室テレビ２の構造上の理由から、吸盤５２を受光部２１に対向させて取り付けることができない場合には、第２の発光部５１ａを設けてもよい。すなわち、この発光部５１ａから発信される赤外線が受光部２１に受光される位置に吸盤５２を吸着させる。
【００２８】
なお、本発明は上記した形態に限定されるものではなく、本発明の要旨を逸脱しない範囲内において種々の変更を加えてもかまわない。
【図面の簡単な説明】
【００２９】
【図１】本発明の一実施の形態の構成を示す図
【図２】プログラム書換時の状態を示す図
【図３】浴室テレビの構造を示すブロック図
【図４】発光部５１の他の形態を示す図
【符号の説明】
【００３０】
１  浴室
２  浴室テレビ
３  チューナ部
４  リモコン
５  書換装置
２１  受光部
５１  発光部
５１ａ  発光部
５２  吸盤
【図１】
2007028510.tif 000003
【図２】
2007028510.tif 000004
【図３】
2007028510.tif 000005
【図４】
2007028510.tif 000006